(57)【要約】【目的】この発明は、自然界で創生され、発見された積層状構造を持つ長石の粉末を利用し、すでに普及している薬品を添着・調合・混入することで、薬効が緩やかに長く効く事、また、アセトアルデヒドを始めとするアルデヒド類及びアンモニア・硫化水素等の吸着効果を持つ該粉末を利用する事によりこの特性を最大限に引き出すことを目的としている。【構成】  本発明者は調査・研究により自然石の長石及びそれを含む岩石全般が構造帯に有り、温度の上昇と冷却により、結晶内部に亀裂を生じたため、結晶格子の積層構造から陽イオンが溶脱した長石及び岩石に、強力な吸着効果により消臭・脱臭作用を有することを突き止め、特にアルデヒド類に対して有効な吸着性能を持っている事を突き止め、粉砕した粉末をそのまま利用、または該長石以外を除き、抽出・濃縮した粒状・粉末状にして利用すること。  また、その粉末を薬品調合基剤として各有効薬剤と調合・添着・混入使用する事によりこの特性を最大限に利用できる。【選択図】  なし【特許請求の範囲】
【請求項１】
結晶格子中の陽イオンが溶脱し、積層構造に変質した長石、及び該長石を含有する岩石を粉砕し、又は粉砕して該長石以外を除去・抽出した粒状又は粉末のアセトアルデヒド等吸着基剤。
【請求項２】
長石及び長石を含有する岩石を粉砕し、長石の結晶格子中の陽イオンを溶脱させ、積層構造状に変質させた吸着基剤。
【請求項３】
請求項１・請求項２でできた粒状・粉末を鋳型として炭素前駆体としての炭素含有溶液又は炭素含有ガスを含浸させ、加熱・薬品処理によって炭素を吸着させてこの炭素を薬剤処理によって取り出してできた成型活性炭。
【請求項４】
請求項１及び請求項３の方法で得られた粉末を配合した整腸剤・脂肪吸着剤及び薬剤添着基剤。
【請求項５】
請求項１及び請求項２の方法で得られた粉末を配合した二日酔解消剤及び口臭用脱臭剤。
【請求項６】
請求項１及び請求項２の方法で得られた粉末を配合したクレンザー及び洗剤
【請求項７】
請求項１から請求項３の方法で得られた粒状又は粉末をプラスチック・樹脂類・合成繊維・天然繊維・紙類・木竹材・ガラス陶磁器類・金属類でできた容器・袋類・ネットの袋へ入れたアセトアルデヒド等吸着基剤。
【請求項８】
請求項１から請求項３までの方法で得られた粒状・粉末を表面に付着・固着又は素材内に混入したプラスチック・樹脂類・合成繊維・天然繊維・紙類・合板・木竹材半製品・畳材、あるいは粉末そのものだけ１００％付着・固着したものを、素材のままのプラスチック・樹脂類・合成繊維・天然繊維・紙類・合板・木竹材半製品をバインダーの有無を問わず、複数枚張り合わせたアセトアルデヒド等吸着基剤。
【請求項９】
請求項１から請求項３までの方法で得られた粒状・粉体状を混入したコンクリート・石膏・漆喰の二次製品、又は該粒状・粉末を１．０％〜９０％混入したモルタル・石膏・漆喰の吸着基剤。
【請求項１０】
請求項１から請求項３までの方法で得られた粒状・粉末を、バインダーの有無を問わず１．０ｍｍ〜１５．０ｍｍの粒に造粒・整形してできた吸着基剤。
【請求項１１】
請求項１から請求項３までの方法で得られた粒状・粉末のミクロ孔としての薄片結晶の積層構造を利用した分子篩材。
【請求項１２】
請求項１から請求項３までの方法で得られた粒状・粉体状の重量比１〜１００％を配合した水質浄化剤。
【請求項１３】
請求項１から請求項３までの方法で得られた粒状・粉末及び該岩石に染料又は指示薬を岩浸させて着色した該基剤及び石材。
【請求項１４】
スギ・ヒノキの枝葉樹皮の粉砕したものと、セメント・石膏・漆喰・石灰・沸石・ベントナイト・白土・及び該花崗岩質岩の粉粒より少なくとも一種類以上を混入してできた壁材・天井材。
【請求項１５】
請求項１から請求項３までの方法で得られた粒状・粉末と、活性炭・ゼオライト・ベントナイト・シリカゲル・高吸水性ポリマーのうち少なくとも１種類以上配合した吸着基剤。
【請求項１６】
請求項１から請求項１６までの使用済み吸着基剤を酸・アルカリ処理又は熱・電磁波・超音波処理により再生した該基剤。
【発明の詳細な説明】
【発明の属する技術】
【０００１】  本発明者は調査・研究により自然石の長石及びそれを含む岩石全般の中で花崗岩・閃緑岩・ひん岩・半花崗岩・石英斑岩・花崗斑岩・結晶片岩・片麻岩等が構造帯に有り、温度の上昇と冷却により、結晶内部に亀裂を生じたため、結晶格子の積層構造から陽イオンが溶脱した長石及び岩石に、強力な吸着効果により消臭・脱臭作用を有することを突き止め、特にアルデヒド類に対して有効な性能を持っている事を発見した。
本発明は当該岩石から長石分以外のものを除去し濃縮することにより、その吸着効果を最大限引き出すものである。
当粒状・粉体状の特性は、石英質・ガラス質材・有色鉱物類を混入した場合は吸着効果は減退するが、素材の有効比表面積を増加させるため該岩石を粉砕しただけの利用、又はプラスチック類・ビニール類・及び紙質類に混入又は通過した場合にも吸着効果を保持する特性を利用した新素材に関するものである。
【背景技術】
【０００２】  現在、社会問題化しているシックハウス症候群の症状はめまい、吐き気、痙攣、硬直、不眠、不安定、知覚異常、のどの渇き、湿疹、食欲不振、目がチカチカする、自律神経障害症等であるが、その症状が進んだ段階が科学物質過敏症であり、そのシックハウス症の代表的なホルムアルデヒドを始めとするアルデヒド類はこのように普段生活している居住宅環境の空気から取り込まれ、我々の使用する水道水に溶け込み、飲料水・食物等を通し多少でも体内に取り込まれる事により、発ガン物質として各臓器に悪い作用（発癌性・変異原性・催奇形性。神経毒性等）を誘発する事例が多く報告されている。
最近、ホルムアルデヒド対策として建材への使用規制物質の対象外であるアセト酢酸アミド又は酢酸エチル・酢酸メチル等の薬剤利用も見受けられるがそれによっても分解によってアセトアルデヒドを多量の発生を引き起こしているのが現状況である。また日常的に嗜好されている飲酒・喫煙によるアセトアルデヒド等は二日酔の元凶であるように毒性が強く、頭痛・吐き気・顔面紅潮・動悸・発汗等不快な症状をもたらし、我々の体に少なくないダメージを与えている。
現在、飲酒・喫煙等により消化器管内で化合・合成し発生するアセトアルデヒドあるいは腸内ガスの主成分である硫化水素等を取り除く方法は考えられなかった。唯一肝臟・腎臓機能を丈夫にする為のドリンク剤・強壮剤等での対処療法のみであった。
また、他の岩石で薬品の成分に利用されてきた漢方薬の一つに変質を受けていない普通の長石のみを粉末にして他の効能のある薬材と調合して利用されてきたが、アセトアルデヒドの吸着・除去の効能は具備していなかった。
また当該長石は、主に花崗岩・閃緑岩・ひん岩・半花崗岩・石英斑岩・花崗斑岩・流紋岩・石英粗面岩等が含有し、構造帯にあり圧砕作用・変質作用を受けた、人体や環境に有害な物質は含んでいない天然の岩石である。（例えば非特許文献１・２及び特許文献１参照）
以上のように現代社会の我々人体に有用で環境に優しくホルムアルデヒド・アセトアルデヒド・アンモニア・硫化水素等に対して強い消臭・吸着性能を期待できるものは、ほとんど無かった。【０００３】
【特許文献１】  特願２００３−１６２９９８
【非特許文献１】  日本地質学会第１１０年学術大会講演要旨，２００３年９月１９日〜２０日，１７８頁
【非特許文献２】日本地質学会第１３回環境地質学シンポジュウム論文集，２００３年１２月６日〜７日，２１５頁〜２２６頁
【発明が解決しようとする課題】
【０００４】本発明は、それらの課題を解消するため、特にアセトアルデヒドを始めとするアルデヒド類・アンモニア・硫化水素等の分子を吸着作用による効果を利用した基剤等の開発を課題として、研究をすすめた。
【課題を解決するための手段】
【０００５】  構造帯の岩石は初めに地殻のマントルで高温のマグマ（１，０００℃以上）そのものがゆっくり冷却し結晶したもの、又はこのマグマと接触して出来たものであるが、構造帯に位置していたために、温度の上昇や冷却の過程で結晶格子内に（マイクロクラック）が生じ、この亀裂を通じて酸性条件のもとで、長石の結晶格子間にあった主たる陽イオンであるナトリウム・カリウム・カルシュウムの各イオンが溶脱したために、結晶格子の積層間に微細な間隙を生じたものである。
このような自然石の長石及びそれを含む岩石全般の中で結晶格子の積層構造状が変質作用を受けた該岩石の分布は、これまでの検証結果では、構造帯に付随する花崗岩・閃緑岩・ひん岩・半花崗岩・石英斑岩・花崗斑岩・結晶片岩・片麻岩等が、結晶間の粒間破断、粒界破断、鉱物の伸展と折れ曲がり、粒状化や粉砕、回転等の機械的変形構造を伴って、長石を主体とする比較的大型の斑晶で顕著に、無数のマイクロクラックを生じさせ、その結晶内の微細な組織にも破砕が進行したために、長石の結晶格子内のナトリウム・カリウム・カルシウムの陽イオンが容易に溶脱されやすい素地を形成したものと考えられる。
この長石は、その後の酸性条件下の変質作用で陽イオンが脱落して、結晶格子の積層構造に、分子を吸着し易いナノオーダーの空隙が作り出されたものと考えられる。
従って、該岩石はこのような複雑な地質学的背景から生成したために、これまで知られていなかった吸着特性を有するに至ったものと思われる。
このような地質学的背景から恵陽石の性状は、国内に広く分布する岩石類の多くとは、その性格を異にしていることは明白であり、その分布も、構造線を構成する比較的限られた条件下で生成したものと言え、長い地質年代を経て、地下深部から地上に出現したものである。
また硫黄成分は、酸性条件下で長石の結晶格子から陽イオンが溶脱した事をうかがい知る事のできる残留物である。
本発明は自然石の長石及びそれを含む岩石全般の中で花崗岩・閃緑岩・ひん岩・半花崗岩・石英斑岩・花崗斑岩・結晶片岩・片麻岩等の他、構造帯もしくは、これと同様な地質構造の変遷史を経た場合、他に長石を含む岩石にモンゾニ岩・粗面岩・閃長岩・巨晶花崗岩・粗粒玄武岩・斑レイ岩・輝緑岩・安山岩・流紋岩・砂岩等のいづれも積層構造状に変成作用を受けて恵陽石化し、それらの岩石を粉砕し、石英質分・有色鉱物等を除去・抽出した粒状又は粉末が、分子間力（ファンデルワールス力）による該岩石の長石結晶格子間の積層を利用した吸着基剤であることを特徴とする。
また、該岩石は積層構造がＳｉ・Ａｌの０．７６ｎｍの厚さの板状と陽イオンであるＮａ・Ｃａ・Ｋａ等の溶脱した０．７５ｎｍの空隙との互層になっている事が確認できた。
これは今までに無い新発見であり、間隙の幅が０．７５ｎｍであり、既存する活性炭・沸石等からみると、消臭する能力は限りなく０に近付づけてくれる反面、利用の仕方にも特徴があり、臭い分子が吸着される間隙がせまいため、微風までの使用で効果が発揮される事がわかった
該岩石の粉末を１０ｍｍ〜１ｎｍの粒状・粉末とし、それらの粉末を一定の重量比でプラスチック・樹脂・塗料・合成繊維・紙類・セメント・石膏等又はゲル状の寒天・ゼリー・吸水性樹脂等に混入した消臭基材・フィルター材等として利用する事を特徴とし、上記の課題を解決するため幾度も分析・実験・検証を重ね最上であることを確認した。
以上本発明はアンモニア・硫化水素・特にアセトアルデヒドを始めとするアルデヒド類まで簡単に処理してしまう機能を持った新素材である。
【実施例】
【０００６】  該５μｍ粉体（１００ｇ）の性能試験結果について説明する。
【表１】
2005288423.tif 000002
検査の方法はアンモニアについて検知管法ＧＡＳＴＥＣＮｏ．３Ｌ型、ホルムアルデヒドについて検知管法ＧＡＳＴＥＣＮｏ．９１Ｌ型、アセトアルデヒドについて検知管法ＧＡＳＴＥＣＮｏ．９２Ｌ型、硫化水素については検知管法ＧＡＳＴＥＣＮｏ．４Ｌ型を採用した。
試料名の対照の右横へ試験データーを記載してあるが、対照の右横部分は、アンモニアのみ、ホルムアルデヒドのみ、アセトアルデヒドのみ、硫化水素のみの自然分解を、時間に対する残存減少率として表したものである。
２段目は試料名の恵陽石５μｍの粉末、１００ｇのデーターである。
アンモニア１０ｐｐｍの添加濃度にしての当粒状・粉体による経過時間ごとの残存減少率である。直後で消臭率が０％、１時間後には９０％の消臭となり、３時間後には１００％と完全に消失したことを示す。
ホルムアルデヒドについては、直後で消臭率が０％、１時間後に９０％。３時間後には９５％、８時間後に１００％の消臭率となった。
重金属及びミネラル等の溶出試験結果について説明する。
【表３】
2005288423.tif 000003
表３に関しては、一般に普及させる上で基本的な事なので掲載した。ちなみに全項目が基準以下という事で安全を示している。
また、ミネラル成分としてカリウム成分とカルシウム成分が共に溶出しているのが確認できる。カリウムの作用は、体内に入るとナトリウム成分と置き換わり、ナトリウムを体外に排出させ、血圧を下げる働きがあって、現代病である高血圧症に有効である。また、カルシウム成分については骨粗鬆症の改善に必要で、カルシュウム不足でのいらいらの解消にもつながり有用である。ＰＨについては、７．８の弱アルカリ性を示しており、毎日食べている卵と同じくらいの数値で体に優しいものである。【０００９】  また請求項１については該長石を粉砕し、または該長石分以外を除去した粉末をそのまま利用してアンモニア・硫化水素・アルデヒド類の吸着剤として使用する以外、他の薬品を調合・添着させる事により、以前から知られている長石の効能である利尿作用・脈を良くする・目に良い等の他に、該粉末のマクロ孔・メソ孔に添着された薬は、徐々に解け出るため、穏やかな作用を期待できるものである。
請求項２については長石及び長石を含有する岩石を粉砕し、硫酸・塩酸・硝酸等の酸により長石の結晶格子中の陽イオンを溶脱させることで、積層構造状に変質させる事ができる。また、請求項１でできた長石粉粒も性能を高めるため、あえて酸処理して各用途に変質できるものである。
請求項３については該長石を粉砕し、または該長石分以外を除去した粉末を鋳型として炭素前駆体としての炭素含有溶液又は炭素含有ガスを含浸させて、加熱・薬剤処理によって炭素を該粉末に吸着させて、その炭素体を薬剤処理によって取り出してできた成型活性炭を薬剤添着に利用することによって、幅広い利用価値を創生することができる。例えば粉末に炭素を吸着させて薬剤処理の過程でそれらの軽重によって、マクロ孔・メソ孔・マイクロ孔のどこまで必要か調整ができ、シリカ分の残留量によっては炭素の特性と、シリカ（無機質材）の特性を兼ね備えたスーパー活性炭として利用範囲が広がるものである。
請求項４については該粉末のマクロ孔・メソ孔に遅効性の薬剤を添着する事で、徐々に解け出るため、タンニン酸系・アクリノール等の消化器系薬剤及び硫黄成分等を調合・添着・混入する事で胃から大腸までの消化器管内でゆっくりとした薬効を期待できる。また、他のダイエット薬等と合わせて使用する事で、該多孔質内に脂肪分が取り込まれ、体外に排泄される。
請求項５についてはアルコールをアセトアルデヒドに分解するアルコール脱水素酵素（ΛＤＨ）又はその作用を助けるニコチン酸酵素（ＮΛＤ）あるいはミクロゾームエタノール酸化酵素（ＭＥＯＳ）等それに同等の作用をする酵素・薬剤を該粉末に配合・添着・混入することでアセトアルデヒドを吸着・分解し二日酔いを防止できるものである。または該粉末をそのままの状態で嗽薬として使用しても良いし、ミント系天然芳香剤等または、殺菌作用のある薬剤を配合しても効果がある。
又はトローチ類・口臭用ガム類に配合使用することでも有効である。
請求項６については該粉末に洗剤をブレンドする事により、食器類のクレンザーとして肉・魚の油脂類を取り、生臭い臭いも吸着し除去する機能も有する。
請求項７については、いろんな素材の容器・袋・ネットの袋等の入れ物に該粒状・粉末の素材を入れて密封してできた半製品又は製品にすることであらゆる生活空間に利用可能となる。
請求項８については該粒状・粉末をプラスチック・樹脂類・合成繊維・天然繊維・紙類・合板・木竹材・畳材等の材料の表面に付着・固着又は材料に混入させることにより、建材・フィルター材・車の部材として利用できる。あるいは付着・固着・混入してできた材料をそのままのプラスチック・樹脂類・合成繊維・天然繊維・紙類・合板・木竹材・畳材等の材料で復数枚張り合わせる事で、粒状・粉末の脱落・剥落を防ぎ、強度を必要とする箇所での使用も可能となる。
請求項９については該粒状・粉末をセメント・石膏・漆喰等に混入してコンクリート二次製品・ボード類の壁材・天井材として利用することができる。
また、該粒状・粉末をセメント・石膏・漆喰等に混入したモルタル・左官材として配合比を調整した材料としての商品化も可能である。
請求項１０については該粒状・粉末を、水・粘土鉱物・糊等接着剤・石膏・漆喰等のバインダーを問わないが、造粒機にかけて１．０ｍｍから１５．０ｍｍまでの均一な粒に仕上げた吸着基剤。
請求項１１については、該粒状・粉末のミクロ孔としての薄片結晶のウエハー構造を利用した該分子篩材は１ナノ以下の超ミクロ孔で均一な細孔を有する特徴を生かし、分子の大きさによって分子を篩い分ける吸着剤として利用できる。
空気分篩用として、孔径０．４ｎｍ程度のものによって、窒素ガスを分篩可能である。また、耐熱性・耐薬品性（酸・アルカリ）に優れている。
請求項１２は、該粒状・粉末を水中で利用する事で、富栄養化状態の湖沼・河川・水槽・上下水道槽・し尿槽等で、アンモニア・硫化水素・アルデヒド類等の窒素・硫黄・カリウム・リンを中心とした分子の吸着剤として利用できる。
請求項１３については、該長石粉粒に染料又は酸・アルカリの指示薬を岩浸させることにより、様々な利用の仕方が考えられる。例えば指示薬としてリトマス・フェノールフタレイン・メチルオレンジ・メチルレッド・メチレンブルー等様々有るが、吸着特性を示す該長石粉粒がアンモニア・アルデヒド類を多く吸着するとリトマスは青・フェノールは赤・メチルは橙と黄色・メチレンブルーは青を示し、硫化水素はリトマスが赤・フェノールは無色・メチルは赤・メチレンブルーは無色のように各臭いの成分により着色することを利用して、吸着の破過状態を着色状態又は脱色状態で目視により判断できるものである。
また通常の染料も簡単に吸着し、着色できる石材として利用可能である。
請求項１４については、難腐敗性の杉・檜の樹皮類を機械的に粉砕した繊維質状の物とセメント・石膏・漆喰・石灰等を調整配合するだけで殺菌・殺虫断熱・防音効果が有り、疎水性のトルエンを吸着する有用な壁材又は天井材を供給できる。また、この建材に該恵陽石の粒状・粉末の重量比・１％〜５０％を混入してできた壁材天井材は、生活環境から出る体臭・ペット臭・トイレ臭・タバコ臭又は、シックハウス症の主な原因物質であるホルムアルデヒド等の親水性の有害ガスを好んで吸着し、再放出しない多機能な建材として利用可能である。
請求項１５は、該岩石を粉砕したものと、活性炭・ゼオライト・ベントナイト・シリカゲル・高吸水性ポリマー等のうち、少なくとも１種類以上とブレンドした吸着剤にした場合、活性炭とは疎水性のトルエン・キシレン等の有機溶剤系の臭いを好んで取り去り、該岩石は水溶性のアンモニア・硫化水素・アルデヒド類を好んで吸着するため、双方をブレンドする事で臭いに関して万能な吸着剤が創生されるものである。
また、ゼオライト・ベントナイト・シリカゲル・高吸水性ポリマー等は、これまで脱水剤・吸湿剤等で活躍してきたが、活性炭の不得意とする親水性の臭いを吸着させる素材がないことから、特にゼオライトが改良されて親水性吸着剤として使用されてきているが、細孔の平均が７〜１０ナノメートルであるためアルデヒド類に対しては、臭いの分子を取り込んでも昇温と共に臭いの分子は吐き出されてしまうため、親水性の同属であるものとブレンドすることで、臭いの分子の吐き出しを抑制する事ができる。
請求項１６については、該長石粉粒の一度使用吸着して破過状態になった基剤を再生する方法であるが、熱処理は１００度から２００度までの範囲で脱着が可能で、酸・アルカリ処理は化学的処理であり、臭いの成分を酸化・化合反応によって取り除く事ができる。この時、酸の強さによっては該長石粉粒の性能をも高める事ができる。また、電磁波処理については電磁波を該粉粒にあてることで、臭い分子が活発に活動し始めるため、脱着してしまうものである。超音波処理も同じような物理的処理方法であり、脱着するものである。
【発明の効果】
【０００９】  本発明は、以上のような構成のため、アセトアルデヒド・硫化水素等の成分が発生しやすい胃腸内で、強い吸着作用を期待できる。
環境にも人体にも優しい画期的な新素剤のパウダーに、多様な効能を持つ薬品を調合・添着・混入して、粒状・顆粒状で利用することもできる。
１．当新素剤は、元来カリウム等の効能として知られている血圧の低下作用、利尿作用、四肢の寒をとり、目にも良いとされているがそれ以外に、該粉末に多様な効能を持つ薬剤を調合・添着・混入する事で、その薬剤の体内での緩やかな有効性を期待することができる。例えば糖尿病の為のインシュリン及びそれに近い作用をするタラノ木に含まれるエラトサイト成分等を添着させて利用する事により、糖尿病患者に恩恵をもたらす事ができる。また、ビタミン類・ホルモン系の薬剤等遅効性を求められる薬剤などに有効である。又は遅効性農薬類にも利用できる。
また、該粉末はｐｈが弱アルカリのため酸性の体内でｐｈの調整も期待できる。
２．長石・長石を含有する岩石を粉砕して結晶格子中の陽イオンであるナトリウム・カリウム・カルシュウム分を硫酸・塩酸・硝酸等の酸で溶脱させることにより、長石の結晶を積層状構造に変質させる事が可能であり、長石を含む岩石は世界中至る所に存在しているため、原材料の心配は無いものとなる。
３．上記該長石の粒状・粉末を用いた鋳型炭素化は、気相からアクリルニトリルを乾燥した該粉末に吸収させ、γ線で重合した後、生成した該長石粉／ポリアクリロ（ＰＡＮ）複合体を７００℃で熱処理することで細孔内のＰＡＮを炭化する。この該長石粉／炭素複合体をフッ酸と塩酸で二段階処理して該長石粉を完全に溶解させ、細孔中の炭素を取り出す。また、プロピレンと該長石粉を熱処理（７００〜８００℃）し、該長石粉中の細孔内に炭素を堆積させ、該長石粉／炭素複合体から炭素を取り出す。
３−２  フェノールとホルムアルデヒドの混合物をアルカリ触媒で処理し、油状のレゾール樹脂を合成する。これを該長石粉（無機多孔質体）の細孔内に含浸し、熱処理で樹脂を重合させ、１，０００℃で炭素化する。細孔内の炭素の充填度を高めるために、この含浸・炭素化過程を繰り返す。
これにベンジンからの熱分解炭素をさらに堆積させる。
この炭素と無機多孔質体の複合物を水酸化フッ化水素酸溶液で処理し、無機多孔質体を溶解させ、細孔内の炭素を取り出すと、骨組みのしっかりした多孔質炭素が生成される。
炭素前駆体の導入や炭素化の方法を変化させる事によって、生成してくる炭素の構造を制御することが可能である。
このような処理は、通常、活性炭がガス賦活などの方法で炭素を活性化処理することで大きな表面積を得ている方法に対して、本法を用いれば、活性化処理無しで大きい表面積を持つ事ができ、生産上の処理コストや、エネルギーの節減にもつながるものである。
このように、該長石粉の鋳型より調製した炭素は、特異な構造を持つ高表面積の多孔質炭素の生成が可能となり、吸着性能が高く、例えば活性炭の不得意とする親水性のホルムアルデヒドやアンモニアの吸着が可能となり、あるいは、細孔の大きさを制御させて、特定の大きさの分子量を有する物質を選択的に吸着させ利用する事等の多彩な活性炭素としての用途がある。
４．胃腸内の消化器管内で発酵・発生する有害な硫化水素・メタンガス・アンモニア等の吸着、及び胃潰瘍の原因であるピロリ菌や、腸内の大腸菌等の悪玉菌を多孔質内に取り込んで、便として排泄してしまう独特な効果が期待できる。
該素材のマクロ孔・メソ孔に遅効性の薬剤を添着する事で、徐々に解け出るため、消化器系薬剤及び硫黄成分等を調合・添着・混入する事で胃から大腸までの消化器管内でゆっくりとした薬効を期待できる。又は他のダイエット薬等と合わせて使用する事で、該多孔質内に脂肪分が取り込まれ、体外に排泄されるため、最近問題の血中脂質の増加による脳・心臓等の血栓を抑える効果も期待できる。
５．飲酒では、アルコールの約７割が胃で代謝されることがわかっている。それはアルコール脱水素酵素（ＡＤＨ）が胃の中で作用している為である。その７割の分解された物質がアセトアルデヒドであり、それを該粉末に吸着・分解し、排泄されることにより、二日酔いを防止できるものである。
社会生活において、会社での会話・友人との会話等自分の口臭が気にならない日はないものと思う。そんな時該粉末を嗽薬として使用しても良いし、ミント系天然芳香剤等または、殺菌作用のある薬剤を配合したものでも効果が有る。又はトローチ類・口臭用ガム類に配合使用することで口臭を抑えることができる。
６．該長石粉をクレンザー・洗剤に混入することにより、油脂分の吸着、他の有機質分子・悪臭を伴なう硫化水素分子等の吸着除去等の作用により、対象となる食器類・繊維質類等からの除去に有効に働くものである。
７．該長石粉粒をいろんな素材の容器・袋・ネットの袋等の入れ物に該粒状・粉末の素材を入れて密封して使用することにより該素材が飛散せず、手軽に室内及び車内のあらゆる場所に置くだけで効果を発揮できるものである。また、水質浄化のためにいろんなネットへ詰めて利用もできるものである。
８．プラスチック・樹脂類・合成繊維・天然繊維・紙類・合板・木竹材・畳材等の材料の表面に該長石粉粒を付着・固着又は材料に混入させることにより、建材・フィルター材・車の部材として利用でき、毎日が居住生活環境が快適にできるものである。また車の車内も新車の臭いや、タバコ臭も除去するため同乗者にも迷惑のかからない状態の空間となる。
また、強度の必要とする所の建材や車の部材として利用する箇所には、無垢のプラスチック・樹脂類・合成繊維・天然繊維・紙類・合板・木竹材・畳材等の材料とを復数枚張り合わせても有効に利用できる。例えば車のダッシュボードなどは時々乗車する人の手の触れる所であり、薄幕のプラスチック樹脂類等で覆ってしまうのが良い。または、建材の化粧板なども同じ事が言える。
あるいはプラスチック・樹脂類・合成繊維・天然繊維・紙類を利用して該長石粉粒を挟んで付着・固着又は混入・固定してフィルター材として利用できる。この利用方法は、該長石の間隙の特徴により強風による利用は避けるべきであり、微風または自然の対流程度での利用が最適である。利用形状は違うが合成繊維・天然繊維などや不織布等で挟むか、混入したものを上着の裏に使用する事で、腋臭・老人臭等の体臭をもパーフェクトに消臭するため、体臭を隠す為の香水等の使用も必要なくなるものである。
９．該長石粉粒をセメント・石膏・漆喰等に混入してコンクリート二次製品・ボード類の壁材・天井材として利用することで、シックハウス症又は生活環境内での悪臭も除去できるものであり、ペット臭・老人臭あるいはオナラ等も消臭してしまうものである。これらの特徴を有効に利用するには、左官屋さんにより壁の表面に左官砂として、配合比を調整した材料とし空練りのモルタル・石膏・漆喰として半製品で利用できる。
１０．該長石粉粒にしたものを水・糊・合成樹脂・ベントナイト等バインダーを利用して造粒・整形することにより均一な性状となり、各用途に使い易くなるものである。また、パウダー状にして造粒することにより、岩体状よりも比表面積の増大になり該効能のパワーアップにつながるものである。
１１．該長石粉粒の薄片結晶の積層構造は、１ナノメートル以下の０．７５ナノの薄片の厚さと隙間の間隔なので、０．７５ナノ以下の分子を通過させ、それ以上の分子は通さない特徴を利用したものであり、空気分篩用として孔径０．４ナノ程度のもので、窒素ガスを分篩可能である。また、耐熱性・耐薬品性（酸・アルカリ）に優れている。
１２．該粒状・粉末を水中で利用する事で、富栄養化状態の湖沼・河川・水槽・上下水道槽・し尿槽等で、アンモニア・硫化水素・アルデヒド類等の窒素・硫黄・カリウム・リンを中心とした分子の吸着剤として利用することにより、毒素を出すアオコ・赤潮等の発生を防止し、清らかな湖沼・水槽を維持できる自然に優しい素材である。
なお、該恵陽石は泥水等の浮遊物質の浄化作用、沈降速度を速める作用も兼ね備えており、水質の浄化と重金属類・油脂成分の吸着による環境のクリーン化にも利用可能である。
１３．該長石粉粒に染料又は酸・アルカリの指示薬を岩浸させることにより、様々な利用の仕方が考えられる。例えば指示薬としてリトマス・フェノールフタレイン・メチルオレンジ・メチルレッド・メチレンブルー等様々有るが、吸着特性を示す該長石粉粒がアンモニア・アルデヒド類を多く吸着するとリトマスは青・フェノールは赤・メチルは橙と黄色・メチレンブルーは青を示し、硫化水素に対してはリトマスが赤・フェノールは無色・メチルは赤・メチレンブルーは無色のように各臭いの成分により着色・脱色することを利用して、着色状態又は脱色状態を目視により、吸着の破過を判断できるものである。
また通常の染料も簡単に吸着し、着色できる石材として鮮やかな色彩の室内外の張り石等に利用できるものである。
１４．難腐敗性の杉・檜の樹皮類を機械的に粉砕した繊維質状の物とセメント・石膏・漆喰・石灰等を調整配合するだけで殺菌・殺虫断熱防音効果が有り、疎水性のトルエンを吸着する有用な壁材又は天井材を供給できる。また、この建材に該恵陽石の粉粒を混入してできた壁材天井材は、我々の生活環境から出る体臭・ペット臭・トイレ臭・タバコ臭・腐敗臭又は、シックハウス症の主な原因物質であるアルデヒド類の親水性の有害ガスを好んで吸着し、再放出しない多機能な建材として利用できるものである。
１５  該岩石を粉砕したものと、活性炭・ゼオライト・ベントナイト・シリカゲル・高吸水性ポリマー等とブレンドした吸着剤にした場合、活性炭とは疎水性のトルエン・キシレン等の有機溶剤系の臭いを好んで取り去り、該岩石は水溶性の硫化水素・アルデヒド類を好んで吸着するため、ブレンドする事で万能吸着剤が生れるものである。
また、ゼオライト・ベントナイト・シリカゲル・高吸水性ポリマー等は、これまで脱水剤・吸湿剤等で使用されてきたが、活性炭の不得意とする親水性の臭いを吸着させる素材がないことから、特にゼオライトが改良されて親水性吸着剤として使用されてきているが、アルデヒド類に対しては、臭いの分子を取り込んでも昇温と共に臭いの分子は吐き出されてしまうため、該岩石をブレンドすることで、臭い分子の吐き出しの抑制が可能となる。
１６  該長石粉粒の一度使用吸着して破過状態になった基剤を再生する方法であるが、熱処理は１００度から２００度までの範囲で脱着が可能で、酸・アルカリ処理は化学的処理であり、臭いの成分を酸化反応によって取り除く事ができる。また、電磁波・超音波処理については電磁波・超音波いづれかを該粉粒にあてることで、臭い分子が活発に活動し始めるため、脱着するものである。このような再生方法により、貴重な資源を失う事無く、再利用が可能となるものである。
【０００７】当該花崗岩質岩の成分表を掲載する。
【表２】
2005288423.tif 000004
【０００８】